(57)【要約】      （修正有）【課題】アスリートによる動きを最適化するとともに運動能力を向上させることが可能な、特にテニス用の運動靴を提供する。【解決手段】運動靴１は、アウトソール３と、アスリートの足Ｐの下に位置するように設けられた中敷と、アウトソールと中敷との間に挿入されたミッドソールとを備える。アウトソールは、靴の縦軸（Ｘ−Ｘ’）にわたって３つの横断ゾーンに分割されており、該３つの横断ゾーンは、足の指２１〜２５の下に位置するように設けられた前ゾーン３Ａと、足の指の付け根と土踏まずの前端Ｐ１との間に広がる足の領域の下に位置するように設けられた中間横断ゾーン３Ｂと、足の土踏まずの前端から後方に広がる足の領域の下に位置するように設けられた後ゾーン３Ｃとを含む。これら３つの横断ゾーンは、該３つの横断ゾーンよりも高い柔軟性の横断屈曲ライン３０，３２によって区切られている。【選択図】図１
2016112425.tif 000002
【特許請求の範囲】
【請求項１】
特にテニス用の運動靴（１）であって、中でも、
地面と接触するように構成されたアウトソール（３）と、
アスリートの足（Ｐ）の下に位置するように設けられた中敷（７）と、
前記アウトソール（３）と前記中敷との間に挿入されたミッドソール（５）と、を備え、
前記アウトソール（３）は、当該靴（１）の縦軸（Ｘ−Ｘ’）にわたって、少なくとも３つの横断ゾーンに分割されており、前記少なくとも３つの横断ゾーンは、
足（Ｐ）の指（２１〜２５）の下に、少なくとも部分的に位置するように設けられた前ゾーン（３Ａ）と、
足（Ｐ）の指の付け根と土踏まずの前端（Ｐ１）との間に広がる足（Ｐ）の領域の下に、少なくとも部分的に位置するように設けられた中間横断ゾーン（３Ｂ）と、
足（Ｐ）の土踏まずの前端（Ｐ１）から後方に広がる足（Ｐ）の領域の下に、少なくとも部分的に位置するように設けられた後ゾーン（３Ｃ）と、を含み、
前記３つの横断ゾーン（３Ａ，３Ｂ，３Ｃ）は、前記３つの横断ゾーン（３Ａ，３Ｂ，３Ｃ）の柔軟性よりも高い柔軟性の横断屈曲ライン（３０，３２）によって区切られており、
前記アウトソール（３）は、当該靴（１）の横軸（Ｙ−Ｙ’）にわたって、３つの縦断ゾーンに分割されており、前記３つの縦断ゾーンは、
足親指（２１）の下に少なくとも部分的に位置するように設けられた内側ゾーン（３Ｄ）と、
足の第２指と第３指（２２，２３）の下に少なくとも部分的に位置するように設けられた中央縦断ゾーン（３Ｅ）と、
足の第４指と第５指（２４，２５）の下に少なくとも部分的に位置するように設けられた外側ゾーン（３Ｆ）と、を含み、
前記３つの縦断ゾーン（３Ｄ，３Ｅ，３Ｆ）は、前記３つの縦断ゾーン（３Ｄ，３Ｅ，３Ｆ）の柔軟性よりも高い柔軟性の縦断屈曲ラインによって区切られており、
当該靴は、
前記ミッドソール（５）が、前記前ゾーン（３Ａ）と前記中間横断ゾーン（３Ｂ）に重なる３つのクッションを有することであって、前記３つのクッションは、
前記内側ゾーン（３Ｄ）に少なくとも部分的に重なる内側クッション（５０）と、
前記中央縦断ゾーン（３Ｅ）に少なくとも部分的に重なる中央クッション（５２）と、
前記外側ゾーン（３Ｆ）に少なくとも部分的に重なる外側クッション（５４）と、を含むこと、および、
前記内側クッション（５０）および前記外側クッション（５４）は、前記中央クッション（５２）を構成する材料よりもエネルギーリターン能力が高い材料で構成されていること、を特徴とする運動靴。
【請求項２】
前記横断屈曲ライン（３０，３２）および／または前記縦断屈曲ライン（３８，４０）は、少なくとも部分的に湾曲していることを特徴とする、請求項１に記載の運動靴。
【請求項３】
前記横断屈曲ライン（３０，３２）および／または前記縦断屈曲ライン（３８，４０）は、少なくとも部分的に折れ直線形状を有していることを特徴とする、請求項１または２に記載の運動靴。
【請求項４】
前記屈曲ライン（３０，３２，３８，４０）は、前記アウトソール（３）の外面（Ｓ３）に沿って延びる少なくとも１つの溝（４２）によって形成されていることを特徴とする、請求項１〜３のいずれか１項に記載の運動靴。
【請求項５】
前記屈曲ライン（３０，３２，３８，４０）は、前記アウトソール（３）の前記外面（Ｓ３）上で並行するとともに、リブ（４４）で離間された２つの溝（４２）によって形成されていることを特徴とする、請求項４に記載の運動靴。
【請求項６】
前記溝（４２）は、０．５〜５ミリメートルの間の深さを有することを特徴とする、請求項４または５に記載の運動靴。
【請求項７】
前記縦断屈曲ライン（３８，４０）は、凹側が前記靴（１）の内側に向いている凹形状を有することを特徴とする、請求項１〜６のいずれか１項に記載の運動靴。
【請求項８】
前記横断屈曲ライン（３０，３２）は、凹側が前記靴（１）の後方に向いている凹形状を有することを特徴とする、請求項１〜７のいずれか１項に記載の運動靴。
【請求項９】
前記アウトソール（３）は、前記後ゾーン（３Ｃ）の後方に広がり、足（Ｐ）の踵の下に位置するように設けられている第４のゾーン（３Ｔ）を含むことを特徴とする、請求項１〜８のいずれか１項に記載の運動靴。
【請求項１０】
前記中敷（７）は、前記アウトソール（３）の前記横断ゾーン（３Ａ，３Ｂ，３Ｃ）および前記縦断ゾーン（３Ｄ，３Ｅ，３Ｆ）に重なる３つの横断ゾーン（７１Ａ，７１Ｂ，７１Ｃ）および３つの縦断ゾーン（７１Ｄ，７１Ｅ，７１Ｆ）に分割された下面（７１）を有し、前記中敷（７）の前記横断ゾーンおよび前記縦断ゾーンは、前記アウトソール（３）の前記横断屈曲ライン（３０，３２）および前記縦断屈曲ライン（３８，４０）に重なる横断屈曲ライン（７１１，７１３）および縦断屈曲ライン（７１５、７１７）によって画定されており、前記中敷（７）の前記屈曲ラインの柔軟性は、前記中敷（７）の前記ゾーンの柔軟性よりも高い、ことを特徴とする、請求項１〜９のいずれか１項に記載の運動靴。
【発明の詳細な説明】
【技術分野】
【０００１】
本発明は、運動靴、特にテニス靴に関するものである。
【背景技術】
【０００２】
スポーツでは、アスリートの足にかなりの力がかかって、構えや向きを変えることだけではなく、走っては急停止することも要求される。そのため、一方で、足への快適性およびクッション性を高めつつ怪我を防ぐことができ、他方で、アスリートの動きのダイナミクス（dynamics）を最適化するように当該スポーツに関連した運動特性に靴を適応させることができる適切な運動靴が必要となる。
【０００３】
テニスの場合は、多くの方向転換を伴って前方移動および側方移動が極めて頻繁に行われ、そのような動きは、プレーヤの運動能力にとって大きな技術的課題である。現時点で存在する靴は、テニスプレーヤの動きの生理的特性および運動特性への最適な適応を可能とするものではない。
【０００４】
特許文献１は、アウトソールをいくつかのゾーンに分割する縦と横の屈曲ラインを有するアウトソールを備えた運動靴を開示している。このような靴の性能は、最適化されていない。
【先行技術文献】
【特許文献】
【０００５】
【特許文献１】米国特許出願公開第２００７／０１９９２１３号明細書
【発明の概要】
【発明が解決しようとする課題】
【０００６】
本発明は、より具体的には、その構造によって、プレー中のアスリートによる動きを最適化するとともにアスリートの運動能力を向上させることが可能な、特にテニス用の新たな運動靴を提案することにより、これらの欠点を解決することを目的とする。
【課題を解決するための手段】
【０００７】
このため、本発明は、特にテニス用の運動靴に関し、これは、中でも、
−  地面と接触するように構成されたアウトソールと、
−  アスリートの足の下に位置するように設けられた中敷と、
−  アウトソールと中敷との間に挿入されたミッドソールと、を備え、
アウトソールは、靴の縦軸にわたって、少なくとも３つの横断ゾーンに分割されており、それらは、
−  足の指の下に、少なくとも部分的に位置するように設けられた前ゾーンと、
−  足の指の付け根と土踏まずの前端との間に広がる足の領域の下に、少なくとも部分的に位置するように設けられた中間横断ゾーンと、
−  足の土踏まずの前端から後方に広がる足の領域の下に、少なくとも部分的に位置するように設けられた後ゾーンと、を含み、
これら３つの横断ゾーンは、該３つの横断ゾーンの柔軟性よりも高い柔軟性の横断屈曲ラインによって区切られており、
アウトソールは、靴の横軸にわたって、３つの縦断ゾーンに分割されており、それらは、
−  足親指の下に、少なくとも部分的に位置するように設けられた内側ゾーンと、
−  足の第２指と第３指の下に、少なくとも部分的に位置するように設けられた中央縦断ゾーンと、
−  足の第４指と第５指の下に、少なくとも部分的に位置するように設けられた外側ゾーンと、を含み、
これら３つの縦断ゾーンは、該３つの縦断ゾーンの柔軟性よりも高い柔軟性の縦断屈曲ラインによって区切られている。
【０００８】
この靴は、
そのミッドソールが、前ゾーンと中間横断ゾーンに重なる３つのクッションを有することであって、それらは、
−  内側ゾーンに少なくとも部分的に重なる内側クッションと、
−  中央縦断ゾーンに少なくとも部分的に重なる中央クッションと、
−  外側ゾーンに少なくとも部分的に重なる外側クッションと、を含むことと、
内側クッションおよび外側クッションは、中央クッションを構成する材料よりもエネルギーリターン能力が高い材料で構成されていること、を特徴とする。
【０００９】
本発明によって、アスリートは、ソールの柔軟性により、試合の特徴に応じたより良いコントロールが可能になるとともに、スポーツをするときに生じ得る様々なプレー局面に、その柔軟性を最適に適応させることが可能になるという効果が、ソールから得られる。これにより、競技能力を高めることが可能となる。ミッドソールのクッションとアウトソールの領域が対応していることによって、試合状況および要求される足領域に応じた、より高効率のエネルギー伝達が可能となり、これにより、プレーヤのダイナミックな動きが上達する。
【００１０】
効果的であるが、任意選択的な本発明の態様によれば、このような運動靴は、技術的に許容される任意の組み合わせで考えられる以下の特徴のうちの１つ以上を組み込むことができる。
−  横断屈曲ラインおよび／または縦断屈曲ラインは、少なくとも部分的に湾曲している。
−  横断屈曲ラインおよび／または縦断屈曲ラインは、少なくとも部分的に折れ直線形状を有している。
−  屈曲ラインは、アウトソールの外面に沿って延びる少なくとも１つの溝によって形成されている。
−  屈曲ラインは、アウトソールの外面上で並行するとともにリブで離間された２つの溝によって形成されている。
−  溝は、１〜５ミリメートルの間の深さを有する。
−  横断屈曲ラインは、凹側が靴の後方に向いている凹形状を有する。
−  縦断屈曲ラインは、凹側が靴の内側に向いている凹形状を有する。
−  アウトソールは、後ゾーンの後方に広がる第４のゾーンを含み、これは足の踵の下に位置するように設けられている。
−  中敷は、アウトソールの横断ゾーンおよび縦断ゾーンに重なる３つの横断ゾーンおよび３つの縦断ゾーンに分割された下面を有し、中敷の横断ゾーンおよび縦断ゾーンは、アウトソールの横断屈曲ラインおよび縦断屈曲ラインに重なる横断屈曲ラインおよび縦断屈曲ラインによって区切られており、中敷の屈曲ラインの柔軟性は、中敷のゾーンの柔軟性よりも高い。
【００１１】
本発明は、添付の図面を参照して非限定的な例として提示される、その原理による運動靴についての以下の説明から、より良く理解され、また、本発明のその他の効果が、より明らかになるであろう。
【図面の簡単な説明】
【００１２】
【図１】図１は、本発明に係る靴の一部の底面図である。
【図２】図２は、図１の平面ＩＩ−ＩＩに沿った、図１の靴部分の縦断面図である。
【図３】図３は、図１の平面ＩＩＩ−ＩＩＩに沿った、図１の靴の横断面図である。
【図４】図４は、図１〜３の靴に属するミッドソールの上面図である。
【図５】図５は、本発明の１つの代替案による靴の一部の、図１と同様の底面図である。
【図６】図６は、図１〜５の靴の中敷の底面図である。
【図７】図７は、図６の中敷の平面ＶＩＩ−ＶＩＩに沿った縦断面図である。
【発明を実施するための形態】
【００１３】
運動靴１を、図１〜５に部分的に示している。この靴１は、より具体的には、テニス競技用に構成されている。
【００１４】
図２および３に示すように、靴１は、地面と接触するのに適したアウトソール３と、アスリートの足Ｐの下に位置するように設けられた図６および７に示す中敷と、アウトソール３と中敷との垂直方向の間に挿入されたミッドソール５と、を備える。靴１は、さらに、図示していない、アッパーと、タンと、締付部材と、を備える。
【００１５】
靴１は、靴１の前端１０と後端１２との間に全体的に延びる縦軸Ｘ−Ｘ’を規定している。以降の説明において、「前」および「後」という形容詞は、軸Ｘ−Ｘ’ならびに前端１０および後端１２に関して用いられる。
【００１６】
同様に、靴１は、軸Ｘ−Ｘ’に垂直な横断方向Ｙ−Ｙ’を規定しており、これは、図１では右側に、図４では左側に位置する足Ｐの内側Ｉと、図１では左側に、図４では右側に位置する外側Ｅと、の間に延びるものである。足Ｐの内側とは、人体の垂直中心軸のほうに向いた側である。以降の説明において、「内」および「外」という形容詞は、横断方向Ｙ−Ｙ’に関して用いられる。
【００１７】
足Ｐは、足Ｐの内側に位置する親指２１と、さらに足の内側から外側に向かって番号２２、２３、２４、２５がそれぞれ付された第２指、第３指、第４指、第５指を含む５本の足指を有する。
【００１８】
図１に示すように、アウトソール３は、縦軸Ｘ−Ｘ’にわたって、３つの横断ゾーンに分割されている。
【００１９】
前ゾーンと呼ばれる第１のゾーン３Ａは、前端１０と、アスリートの足Ｐの指の付け根に対応する靴１の領域と、の間に広がっている。従って、前ゾーン３Ａは、アスリートの足指の下に、少なくとも部分的に位置するように設けられたアウトソール３のゾーンに全体的に対応している。
【００２０】
前端１０と後端１２との間の距離は、アウトソール３の全長と定義される。
【００２１】
前ゾーン３Ａは、前端１０からアウトソール３Ａの全長の１０〜３０％の間の距離にわたって広がっている。
【００２２】
中間横断ゾーンと呼ばれる第２のゾーン３Ｂは、足指の付け根と、「足底弓」とも呼ばれる足Ｐのアーチ領域である土踏まずの前端Ｐ１と、の間に位置する足Ｐの領域の下に、少なくとも部分的に広がるように設けられている。この領域は、足Ｐの最も肉付きの良い部分であり、スポーツをするとき、より具体的にはテニスをするときに、大きなストレスを受ける。打球前にプレーヤが動きにそなえて身構えるときに、体重の大部分は、足Ｐのこの部分にかかる。
【００２３】
中間ゾーン３Ｂは、前ゾーン３Ａからアウトソール３の全長の１５〜２５％の間の距離にわたって広がっている。
【００２４】
アウトソール３は、後ゾーンと呼ばれる第３のゾーン３Ｃを含み、これは、土踏まずの前端Ｐ１から後方に広がる足Ｐの領域の下に位置するように設けられている。後ゾーン３Ｃは、足底弓の下に広がるように設けられている。
【００２５】
後ゾーン３Ｃは、中間ゾーン３Ｂからアウトソール３の全長の２０〜４０％の間の距離にわたって広がっている。
【００２６】
アウトソール３は、さらに、オプションとして、踵の下に位置するように設けられた第４の横断ゾーン３Ｔを含むことができる。このゾーン３Ｔは、後ゾーン３Ｃから後方に後端１２まで広がっている。このゾーン３Ｔは、後ゾーン３Ｃからアウトソール３の全長の２０〜４０％の間の距離にわたって広がっている。
【００２７】
ゾーン３Ａは、第１の横断屈曲ライン３０によってゾーン３Ｂから分離されており、ゾーン３Ｂは、第２の横断屈曲ライン３２によってゾーン３Ｃから分離されている。横断屈曲ライン３０は、足指の付け根の下に全体的に位置するように設けられている。横断屈曲ライン３２は、足Ｐの土踏まずの前端Ｐ１の下に全体的に位置するように設けられている。屈曲ライン３０および３２は、その柔軟性がゾーン３Ａ、３Ｂ、３Ｃの柔軟性よりも高いアウトソール３の帯状部を構成している。柔軟性とは、屈曲させる力の作用下での部材の変形能力を指す。つまり、屈曲ライン３０および３２におけるアウトソール３の変形能力は、ゾーン３Ａ、３Ｂ、３Ｃにおけるアウトソール３の変形能力よりも高い。従って、屈曲ライン３０および３２によって、ゾーン３Ａ、３Ｂ、３Ｃを互いに対して関節接合することが可能となる。
【００２８】
この場合、アウトソール３は、スポーツするとき、より具体的にはテニスをするときに、身構えることに特に適しており、身構えるときには、特にテニスプレーヤが相手による打球の前に待つ構えをしている場合に、足指の付け根と土踏まずの前端Ｐ１との間に広がる肉付きの良い領域に体重の大部分がかかる。中間横断ゾーン３Ｂは、この構成において特にストレスを受ける。
【００２９】
プレーヤが前方にダッシュすることで、自身の足指を介して地面に大きな衝撃を伝えるときに、前ゾーン３Ａによって、プレーヤは踏ん張ることが可能となる。この場合、中間横断ゾーン３Ｂに対する前ゾーン３Ａの屈曲性によって、地面へのより良いエネルギー伝達が可能となり、これによりプレーヤの前方への動きの効率が高まる。
【００３０】
図１および２に示すように、アウトソール３は、さらに、横軸Ｙ−Ｙ’にわたって、３つの縦断ゾーンに分割されている。
【００３１】
内側ゾーンと呼ばれる第１の縦断ゾーン３Ｄは、アウトソール３の内縁３４から広がって、足親指２１の下に、少なくとも部分的に位置するように設けられている。内側ゾーン３Ｄは、前ゾーン３Ａ内、中間ゾーン３Ｂ内、および後ゾーン３Ｃ内に広がっている。
【００３２】
内縁３４と外縁３６との間の距離は、アウトソール３の全幅と定義される。
【００３３】
内側ゾーン３Ｄは、内縁３４からアウトソール３の全幅の２０〜４０％の間の距離にわたって、広がっている。
【００３４】
中央縦断ゾーンと呼ばれる第２の縦断ゾーン３Ｅは、足の第２指２２と第３指２３の下に、少なくとも部分的に位置するように設けられている。このゾーン３Ｅは、前ゾーン３Ａ内と中間ゾーン３Ｂ内に広がって、後ゾーン３Ｃに達し、そこでは部分的に広がっている。
【００３５】
中央ゾーン３Ｅは、内側ゾーン３Ｄからアウトソール３の全幅の２０〜４０％の間の距離にわたって、広がっている。
【００３６】
外側ゾーンと呼ばれる第３のゾーン３Ｆは、アウトソール３の外縁３６から広がって、足の第４指２４と第５指２５の下に、少なくとも部分的に位置するように設けられている。このゾーン３Ｆは、前ゾーン３Ａ内と中間ゾーン内に広がって、後ゾーン３Ｃに達し、そこでは部分的に広がっている。
【００３７】
外側ゾーン３Ｆは、外縁３６からアウトソール３の全幅の２０〜４０％の間の距離にわたって、広がっている。
【００３８】
縦断ゾーン３Ｄは、おおよそ足の親指２１と第２指２２との間を通るように設けられた縦断屈曲ライン３８によって縦断ゾーン３Ｅから分離されており、縦断ゾーン３Ｅは、おおよそ足の第３指２３と第４指２４との間を通るように設けられた縦断屈曲ライン４０によって縦断ゾーン３Ｆから分離されている。屈曲ライン３８および４０の柔軟性は、縦断ゾーン３Ｄ、３Ｅ、３Ｆの柔軟性よりも高い。横断ゾーンの場合と同様に、この柔軟性によって、縦断ゾーンを互いに対して関節接合することが可能になるとともに、スポーツをするときに、より良好に力を地面に伝達することが可能となる。
【００３９】
テニスをするときに、側方移動は、スピードと瞬発力を要する重要な局面である。そのために、テニスプレーヤの足と地面との間での力の伝達によって、減速、停止、および異なる方向での再始動を伴う方向転換の効率および速さを確保することが可能となる。この側面は、プレーヤが走った後に減速して、外側ゾーン３Ｆがストレスを受ける場合にも重要である。
【００４０】
図１に示すように、様々に異なる足の形態によって、ゾーン３Ａ、３Ｂ、３Ｃ、３Ｄ、３Ｔ、３Ｅ、３Ｆの位置決めは、足の様々な部位の位置に正確に対応しない場合がある。いくつかの足指が、特に２つの縦断ゾーンにまたがることがあり、また、縦断屈曲ライン３８および４０は、足の親指２１と第２指２２との間、および第３指２３と第４指２４との間を正確に通らないことがある。
【００４１】
ミッドソール５は、前ゾーン３Ａおよび中間横断ゾーン３Ｂに重なるクッションを有している。これらのクッションは、全体的に内側ゾーン３Ｄに重なる内側クッション５０を含む。側方移動のために、足親指２１によるかなりの力の伝達を伴って、例えば瞬発的始動またはサーブ後のジャンプ着地時に、足の内側で踏ん張るときに、内側クッション５０によって、圧力を分散させることが可能になるとともに、より良いダイナミズムのために、蓄積したエネルギーを戻すことが可能となる。
【００４２】
ミッドソール５は、さらに、全体的に中央縦断ゾーン３Ｅに重なる中央クッション５２を含む。このクッションは、安定した構えが要求される打球の前の体重移動段階または地面グリップの際に、ストレスを受ける。
【００４３】
ミッドソール５は、さらに、全体的に外側ゾーン３Ｆに重なる第３の外側クッション５４を含む。例えば、側方移動後に減速するとき、または移動中もしくは方向転換時に足の第４指２４および第５指２５で衝撃を受けたときに、このクッション５４によって、足の外側に作用する圧力を分散させることが可能になるとともに、再始動を先導することが可能となる。
【００４４】
中央クッション５２は、ミッドソール５の後部に広がるとともにクッション５０および５４が組み込まれた部材の拡張によって、形成されている。クッション５０および５４は、中央クッション５２のキャビティ（cavities）に装着されたクッションである。
【００４５】
あるいはこれに代えて、中央クッション５２は、クッション５０および５２と同種の装着されたクッションとして、ミッドソール５の残り部分とは独立の要素を形成することができる。また、中央クッション５２は、クッション５０と５４との間に広がるハウジング内に配置された、プラスチック、カーボン、または他の材料のストリップのような剛性要素で構成することもできる。
【００４６】
プレーヤによる、よりダイナミックな動きを可能とするために、内側クッション５０および外側クッション５４は、中央クッション５２を構成する材料のエネルギーリターン能力よりも高いエネルギーリターン能力を有する材料で構成される。より具体的には、クッション５０および５４の材料は、クッション５２の材料の弾性よりも高い弾性、すなわち変形後にその初期形状に近い形状に素早く戻る能力を有する。これにより、足の親指２１もしくは第４指２４および第５指２５を用いた構えを伴う側方移動の際、または例えば足の第４指および第５指による急停止の場合に、足に衝撃緩和を提供し、その後、方向転換の実行速度を高めるため、ひいてはプレーヤの全体的なフットワーク能力を高めるために、エネルギーが戻される。クッション５０、５２、５４が、ゾーン３Ｄ、３Ｅ、３Ｆによるアウトソール３の縦分割と一致していることによって、側方移動の際のプレーヤと地面との間での力の伝達の効果を高めることが可能となる。
【００４７】
一例として、内側クッション５０および外側クッション５４は、合成発泡体またはゴムなどのクッション性かつ弾性材料で構成することができる。中央クッション５２は、硬質または半硬質合成発泡体で構成することができる。
【００４８】
ミッドソール５は、さらに、オプションとして、ゾーン３Ｔに重なる後部クッション５６を含み、これは、踵の下に位置するように設けられて、踵における衝撃吸収を提供する。本例では、後部クッション５６は、中央クッション５２に包囲されている。
【００４９】
屈曲ライン３０、３２、３８、４０は、アウトソール３の外面Ｓ３上の並行する溝４２によって形成されている。それらの溝４２の間にリブ４４が延びている。従って、それらの溝４２では、アウトソールの厚さ３が縮小されており、これにより柔軟性を高めている。
【００５０】
図示していない代替案では、屈曲ラインは、単一の溝４２によって形成することができる。
【００５１】
それらの溝４２は、好ましくは、ソール３の平均厚さが３〜５ｍｍの間である場合に、外面Ｓ３に対して相対的に考えて、０．５〜５ｍｍの間の深さを有する。このように、溝は、ソール３の平均厚さの１０〜１００％に相当する深さを有する。
【００５２】
図示していない本発明の１つの代替案によれば、それらの溝４２は、靴１の底面図においてミッドソール５が見えるようにして、アウトソール３の全幅を横切るものであり得る。
【００５３】
屈曲ライン３０、３２、３８、４０は、好ましくは、１〜１０ｍｍの間の幅を有する。
【００５４】
図１に示すように、屈曲ライン３０、３２、３８、４０は、折れ直線形状を有する。一般的に、屈曲ライン３０、３２、３８、４０は、少なくとも部分的に直線形状を有する。図５に示す代替案では、屈曲ライン３０、３２、３８、４０は、少なくとも部分的に湾曲形状を有することもできる。
【００５５】
横断屈曲ライン３０および３２は、足指の付け根および土踏まずの前端Ｐ１の自然な曲線に沿うように、凹側が後方に向いている凹形状を有する。
【００５６】
縦断屈曲ライン３８および４０は、足の内縁および外縁の自然な曲線に沿うように、凹側が足の内側に向いている凹形状を有する。
【００５７】
屈曲ライン３０、３２、３８、４０は、割線であり、９つのサブゾーンを形成している。
【００５８】
屈曲ライン３０および３２は、アウトソール３の外縁３６まで延びており、内縁３４の手前で終わっている。図示していない代替案では、屈曲ライン３０および３２は、内縁３４まで延ばすことができる。
【００５９】
屈曲ライン３８および４０は、地面に対して高くなるように設けられているアウトソール３の中心部４６から、前端１０付近まで延びている。図示の例では、屈曲ライン３８は、前端１０まで延びているが、一方、屈曲ライン４０は、前端１０の手前で終わっている。図示していない代替案では、屈曲ライン４０は、前端１０まで延ばすことができる。
【００６０】
縦断ゾーン３Ａ、３Ｂ、３Ｃおよび横断ゾーン３Ｄ、３Ｅ、３Ｆ、ならびに屈曲ライン３０、３２、３８、４０の位置は、好ましくはアウトソール３のいくつかのゾーンが他のゾーンよりも重視されることによって、異なり得る。
【００６１】
例えば、そのフットワークが俊敏で瞬発力のあるテニスプレーヤは、より外に構えて、前方に向けてはゾーン３Ａおよび３Ｂに、または側方に向けてはゾーン３Ｄおよび３Ｆに、ストレスを与える。そのような場合、このプレーヤは、アウトソール３のすべてのゾーンにストレスを与えるので、ゾーン３Ａ、３Ｂ、３Ｄ、３Ｆは、フットワークの瞬発力が劣るプレーヤ向けの靴よりも、大きな面積を有することになる。
【００６２】
より滑らかで、より遅く、より地に足をつけたフットワークを持つ第２のタイプのプレーヤは、構えるとき、または前方に打球するときに、より多くのストレスをゾーン３Ｂにかけるが、３Ａに対してはそれほどではなく、また、方向転換するとき、およびブロックするときには、この第２のタイプのプレーヤは、より多くのストレスをゾーン３Ｅおよび３Ｄにかける。従って、より滑らかで、より地に足をつけた、瞬発力が劣るフットワークを持つプレーヤ向けに設計された靴では、ゾーン３Ｅおよび３Ｄは、より大きな表面積を有することになる。
【００６３】
本発明のオプションの実施形態を、図６および７に示している。ソックライナー（sockliner）とも呼ばれて、効果的には靴から取り外し可能である中敷７は、足と接触する。中敷７は、ミッドソール５と接触する下面７１を有する。
【００６４】
下面７１は、アウトソール３と同様に、屈曲ラインで区切られた複数の横断ゾーンおよび縦断ゾーンに分割されており、それらは、アウトソール３のゾーンおよび屈曲ラインと位置合わせされている。下面７１は、前ゾーン３Ａに重なる前ゾーン７１Ａと、中間横断ゾーン３Ｂに重なる中間横断ゾーン７１Ｂと、後ゾーン３Ｃに重なる後ゾーン７１Ｃと、を含む。これらのゾーン７１Ａ、７１Ｂ、７１Ｃは、横断屈曲ライン３０および３２に重なる横断屈曲ライン７１１および７１３によって互いに分離されており、それらの屈曲ラインは、屈曲ライン３０および３２と同様に、ゾーン７１Ａ、７１Ｂ、７１Ｃの柔軟性よりも高い柔軟性を有する。
【００６５】
下面７１は、内側ゾーン３Ｄに重なる内側ゾーン７１Ｄと、中央縦断ゾーン３Ｅに重なる中央縦断ゾーン７１Ｅと、外側ゾーン３Ｆに重なる外側ゾーン７１Ｆと、を含む。これらのゾーン７１Ｄ、７１Ｅ、７１Ｆは、横断屈曲ライン３８および４０に重なる横断屈曲ライン７１５および７１７によって互いに分離されており、それらの屈曲ラインは、屈曲ライン３８および４０と同様に、ゾーン７１Ｄ、７１Ｅ、７１Ｆの柔軟性よりも高い柔軟性を有する。
【００６６】
中敷７のこの構造が、アウトソール３の構造と一致していることによって、靴１の全体の柔軟性を向上させるとともに、足の様々な部位による地上での構えをより一層効果的にすることが可能となる。
【００６７】
あるいはこれに代えて、下面７１は、中敷７の第１の層によって形成され、さらに中敷７は、下層７１に重ねられた上層と呼ばれる第２の層７３を有し、これが足に接触する。図示していないオプションの態様によれば、上層７３は、ミッドソール５のクッション５０、５２、５４と同じジオメトリおよび同じ原理を用いて、ゾーン７１Ａ〜７１Ｆに合わせて配置される、エネルギー伝達能力が異なる材料で構成されたクッションを含むことができる。
【図１】
2016112425.tif 000003
【図２】
2016112425.tif 000004
【図３】
2016112425.tif 000005
【図４】
2016112425.tif 000006
【図５】
2016112425.tif 000007
【図６】
2016112425.tif 000008
【図７】
2016112425.tif 000009
【外国語明細書】
2016112425.tif 000010
2016112425.tif 000011
2016112425.tif 000012
2016112425.tif 000013
2016112425.tif 000014
2016112425.tif 000015
2016112425.tif 000016
2016112425.tif 000017
2016112425.tif 000018
2016112425.tif 000019
2016112425.tif 000020
2016112425.tif 000021
2016112425.tif 000022
2016112425.tif 000023
2016112425.tif 000024
2016112425.tif 000025
2016112425.tif 000026
2016112425.tif 000027
2016112425.tif 000028
2016112425.tif 000029